(57)【要約】      （修正有）【課題】薬剤が混入された水を吐出する構成であっても、薬剤が混入された水を吐出する状態と水を吐出する状態とを切換えることができ、利便性を向上させることができるシャワーヘッドを提供する。【解決手段】水を吐出するシャワーヘッド１であって、水に薬剤を混入させて薬剤混入水として薬剤混入水を吐出する薬剤混入水吐出部１０を備え、薬剤混入水を吐出する状態と、薬剤混入水吐出部１０に水を流入させずに水を吐出する状態と、を切換可能に構成されるものとする。【選択図】図１
2016112266.tif 000002
【特許請求の範囲】
【請求項１】
水を吐出するシャワーヘッドであって、
前記水に薬剤を混入させて薬剤混入水として前記薬剤混入水を吐出する薬剤混入水吐出部を備え、
前記薬剤混入水を吐出する状態と、前記水を吐出する状態と、を切換可能に構成される、
シャワーヘッド。
【請求項２】
前記薬剤混入水吐出部を回転させることによって、前記薬剤混入水を吐出する状態と、前記水を吐出する状態と、を切換可能に構成される、
請求項１に記載のシャワーヘッド。
【請求項３】
前記薬剤混入水吐出部は、前記薬剤が配置可能に構成される薬剤配置部材を備え、
前記薬剤配置部材は、身と蓋とを有し、前記身に前記蓋をすることによって内部に前記薬剤が配置可能な空間が形成されるように構成され、
前記薬剤配置部材の蓋は、外側に露出するように配置される、
請求項１または請求項２に記載のシャワーヘッド。
【発明の詳細な説明】
【技術分野】
【０００１】
本発明は、シャワーヘッドの技術に関する。
【背景技術】
【０００２】
従来、ホースに接続されて、ホースからシャワーヘッド内に流入した水を、その流速を増加させて吐出するシャワーヘッドに関する技術は公知となっている（特許文献１参照）。シャワーヘッドは、把持部の一端部にヘッド本体が設けられて構成される。
また、シャワーヘッド内に流入した水に炭酸剤等の薬剤を混入させてこれを吐出するシャワーヘッドに関する技術が知られている（特許文献２参照）。
【先行技術文献】
【特許文献】
【０００３】
【特許文献１】特開平０６−１４６３５７号公報
【特許文献２】特開２０１３−８６０７８号公報
【発明の概要】
【発明が解決しようとする課題】
【０００４】
しかしながら、前記薬剤が混入された水を吐出する構成のシャワーヘッドでは、薬剤が混入された水を吐出する状態と、水（通常のシャワーヘッドが吐出する水）を吐出する状態と、を切り替えることができず、利便性が悪くなる、という問題があった。
【０００５】
発明は以上の如き状況に鑑みてなされたものであり、薬剤が混入された水を吐出する構成であっても、薬剤が混入された水を吐出する状態と水を吐出する状態とを切換えることができ、利便性を向上させることができるシャワーヘッドを提供することを課題とする。
【課題を解決するための手段】
【０００６】
本発明の解決しようとする課題は以上の如くであり、次にこの課題を解決するための手段を説明する。
【０００７】
即ち、請求項１においては、水を吐出するシャワーヘッドであって、前記水に薬剤を混入させて薬剤混入水として前記薬剤混入水を吐出する薬剤混入水吐出部を備え、前記薬剤混入水を吐出する状態と、前記水を吐出する状態と、を切換可能に構成されるものである。
【０００８】
請求項２においては、前記薬剤混入水吐出部を回転させることによって、前記薬剤混入水を吐出する状態と、前記水を吐出する状態と、を切換可能に構成されるものである。
【０００９】
請求項３においては、前記薬剤混入水吐出部は、前記薬剤が配置可能に構成される薬剤配置部材を備え、
前記薬剤配置部材は、身と蓋とを有し、前記身に前記蓋をすることによって内部に前記薬剤が配置可能な空間が形成されるように構成され、前記薬剤配置部材の蓋は、外側に露出するように配置されるものである。
【発明の効果】
【００１０】
本発明の効果として、以下に示すような効果を奏する。
即ち、本発明によれば、薬剤が混入された水を吐出する構成であっても、薬剤が混入された水を吐出する状態と水を吐出する状態とを切換えることができ、利便性を向上させることができる。
【図面の簡単な説明】
【００１１】
【図１】本発明の実施形態に係るシャワーヘッドの全体的構成を示す側面図。
【図２】同じくシャワーヘッドの内部構造を示す縦断面図。
【図３】同じくシャワーヘッドの内部構造を示す横断面図。
【図４】同じくシャワーヘッドの薬剤混入水を吐出する状態を示す側面図。
【図５】同じくシャワーヘッドの流路切換部材の第一流通路と分岐部材の流通孔とが連通した状態を示す図。
【図６】同じくシャワーヘッドの水を吐出する状態を示す側面図。
【図７】同じくシャワーヘッドの流路切換部材の第二流通路と分岐部材の流通孔とが連通した状態を示す図。
【発明を実施するための形態】
【００１２】
次に、本発明の実施形態に係るシャワーヘッド１について、図１から図７を用いて説明する。なお以下において、図中に示す黒色矢印は水の流通方向を示すものとして説明する。
【００１３】
シャワーヘッド１は、ホースに接続されて、ホースからシャワーヘッド１内（ヘッド本体３内）に流入した水を、その流速を増加させて吐出する。
図１乃至図３に示すように、シャワーヘッド１は、把持部２と、ヘッド本体３と、支持部材４と、分岐部材５と、カバー部材６と、と、外筒部材７と、フェース部材８と、流路切換部材９と、薬剤混入水吐出部１０と、を備え、把持部２の一端部にヘッド本体３が設けられて構成される。
【００１４】
シャワーヘッド１の支持部材４は、カバー部材６を回転可能に支持する。支持部材４は、ヘッド本体３内に固定して配置される。支持部材４は、略円筒状に構成されて、把持部２内およびヘッド本体３内を流通する水が内部を流通可能に故構される。
【００１５】
シャワーヘッド１の分岐部材５は、把持部２内およびヘッド本体３内を流通する水を分岐して下流側に流通させる。
分岐部材５は、略円盤状に構成され、支持部材４内に固定して配置される。
分岐部材５は、二個の流通孔５ａを有する。分岐部材５の流通孔５ａは、分岐部材５の上流側の面から下流側に貫通するように形成される。分岐部材５の二個の流通孔５ａは、分岐部材５の軸心を中心にして対称位置に配置される。
分岐部材５は、把持部２内およびヘッド本体３内から流通する水を、二個の流通孔５ａに流通させることによって二つの流路に分岐して下流側に流通させる。
【００１６】
シャワーヘッド１のカバー部材６は、支持部材４に回転可能に支持される。カバー部材６は、略円筒状に構成されて、支持部材４の外側を囲むように配置される。
【００１７】
シャワーヘッド１の外筒部材７は、略円筒状に構成される。外筒部材７は、カバー部材６の下流側に配置される。外筒部材７は、ヘッド本体３およびカバー部材６から下流側に突出するように配置される。外筒部材７は、カバー部材６に固定されて、カバー部材６とともに回転可能に構成される。
【００１８】
シャワーヘッド１のフェース部材８は、薬剤混入水吐出部１０の下流側端部が嵌装される嵌装孔８ａと、シャワー状に水を吐出するための複数個の吐出孔８ｂと、を有する。フェース部材８の嵌装孔８ａは、フェース部材８の中央部に形成される。フェース部材８の吐出孔８ｂは嵌装孔８ａの周囲に形成される。フェース部材８は、外筒部材７の下流側端部に固定されて、カバー部材６および外筒部材７とともに回転可能に構成される。
【００１９】
シャワーヘッド１の流路切換部材９は、支持部材４および分岐部材５の下流側に配置される。
流路切換部材９は、カバー部材６および外筒部材７に固定されて、カバー部材６、外筒部材７、およびフェース部材８とともに回転可能に構成される。流路切換部材９は、略円錐台状に構成される。
流路切換部材９は、二個の第一流通路９ａと、二個の第二流通路９ｂと、を有する。
流路切換部材９の第一流通路９ａは、分岐部材５の流通孔５ａから流出する水を、薬剤混入水吐出部１０に流通する側に流通させる流路である。流路切換部材９の第二流通路９ｂは、分岐部材５の流通孔５ａから流出する水を、薬剤混入水吐出部１０に流通しない側に流通させる流路である。
流路切換部材９は、回転することによって、分岐部材５の流通孔５ａから流出する水を、第一流通路９ａと分岐部材５の流通孔５ａとが連通して薬剤混入水吐出部１０に流通する側に流通させる状態と、第二流通路９ｂと分岐部材５の流通孔５ａが連通して薬剤混入水吐出部１０に流通しない側に流通させる状態と、水の流路を切替え可能に構成される。
流路切換部材９の第一流通路９ａは、流路切換部材９の下流側の面の中央部に凹部が形成され、当該凹部に連通するように流路切換部材９の上流側の面から下流側に貫通する貫通孔が形成されて構成される。流路切換部材９の二個の第一流通路９ａは、流路切換部材９の軸心を中心にして対称位置に配置される。
流路切換部材９の第二流通路９ｂは、流路切換部材９の下流側の面の縁部に開口する孔が形成され、当該下流側の孔に連通するように流路切換部の上面と側面が切欠かれて構成される。流路切換部材９の二個の第二流通路９ｂは、流路切換部材９の軸心を中心にして対称位置に配置される。流路切換部材９の二個の第二流通路９ｂの上面の切欠きは、第一流通路９ａの上面の孔（開口）と９０度位相をずらして配置される。
【００２０】
シャワーヘッド１の薬剤混入水吐出部１０は、薬剤混入水を吐出するノズルである。薬剤混入水吐出部１０は、ヘッド本体３から分岐部材５を介して薬剤混入水吐出部１０内に流入する水に薬剤を混入させて薬剤混入水として、当該薬剤混入水を吐出する。
シャワーヘッド１の薬剤混入水吐出部１０は、流路切換部材９の下流側に配置される。薬剤混入水吐出部１０は、ヘッド本体３およびカバー部材６から下流側に突出するように配置される。流路切換部材９は外筒部材７の内側に配置される。薬剤混入水吐出部１０は、流路切換部材９に固定されて、カバー部材６、外筒部材７、フェース部材８、および水流方向変換部材６０とともに回転可能に構成される。
【００２１】
シャワーヘッド１は、流路切換部材９および薬剤混入水吐出部１０を回転させることによって、薬剤混入水を吐出する状態と、水を吐出する状態と、を切換可能に構成される。シャワーヘッド１は、薬剤混入水吐出部１０に水を流入させて薬剤混入水を吐出する状態と、薬剤混入水吐出部１０に水を流入させずに水を吐出する状態（薬剤混入水吐出部１０が薬剤混入水を吐出しない状態）と、を切換可能に構成される（図４乃至図７参照）。
【００２２】
シャワーヘッド１の薬剤混入水吐出部１０は、分岐部材５および流路切換部材９の下流側に配置される。
薬剤混入水吐出部１０は、流入部１１と、絞り部１２と、拡散部１４と、溶解部１５と、を具備し、全体的に略筒状に形成される。
【００２３】
シャワーヘッド１の薬剤混入水吐出部１０の流入部１１は、流路切換部材９の第一流通路９ａから流出する水が薬剤混入水吐出部１０内に流入する部分である。
【００２４】
シャワーヘッド１の薬剤混入水吐出部１０の絞り部１２は、流入部１１から薬剤混入水吐出部１０内に流入した水の流れを絞って水の流速を増加させる部分である。
絞り部１２は、流入部１１よりも下流側に配置される。薬剤混入水吐出部１０は、絞り部１２から下流側へ流出する水の流速が、絞り部１２の上流側よりも増加するように構成される。
【００２５】
シャワーヘッド１の薬剤混入水吐出部１０の拡散部１４は、水の水勢を弱めるとともに、水を拡散させるものである。
拡散部１４は、絞り部１２の下流側に配置される。拡散部１４は、絞り部１２から流出する水が当接するような位置に配置される。
拡散部１４は、水が拡散部１４に当接することによって、水の水勢が弱まるとともに水が拡散するように構成される。
【００２６】
シャワーヘッド１の薬剤混入水吐出部１０の溶解部１５は、薬剤である固形剤５６が配置されるように構成される。
溶解部１５は、薬剤混入水吐出部１０に流入する水によって（水に接触することによって）溶解部１５に配置される固形剤５６を溶解させて、当該水を薬剤混入水とする。
【００２７】
シャワーヘッド１の溶解部１５における水の入口の開口１５ａ（以下「入口の開口１５ａ」という）は、絞り部１２の下流側の下流側に配置される。
【００２８】
シャワーヘッド１の薬剤混入水吐出部１０の溶解部１５は、絞り部１２から下流側へ水が流出することによって、薬剤混入水が吸引されて溶解部１５の出口の開口１５ｂを介して溶解部１５から流出するとともに、水のうち少なくとも一部（または、出口の開口１５ｂから流出した薬剤混入水の一部）が、溶解部１５の入口の開口１５ａを介して溶解部１５内に流入するように構成される。
薬剤混入水吐出部１０は、前記溶解部１５内に流入する水または薬剤混入水によって固形剤５６を溶解して所定の溶液として溶解部１５から流出させ、薬剤混入水を吐出するように構成される。
【００２９】
ここで、シャワーヘッド１の薬剤混入水吐出部１０の溶解部１５に配置される固形剤５６とは、薬剤であり、水が接触することによって溶解可能なもの（例えば、水が接触することによって溶解可能な、固形洗剤、固形塗料剤、固形薬剤、または、固形炭酸剤等）を示す。
また、薬剤混入水とは、固形剤５６（薬剤）が水に混入されたものを示す。
【００３０】
以上のように、薬剤混入水を吐出する薬剤混入水吐出部１０を備え、薬剤混入水を吐出する状態と、水を吐出する状態と、を切換可能に構成される、シャワーヘッド１では、薬剤混入水（薬剤が混入された水）と、水（通常のシャワーが吐出する水）と、を切替えて吐出することができる。
したがって、シャワーヘッド１によれば、薬剤混入水を吐出する構成であっても、薬剤混入水を吐出する状態と水を吐出する状態とを切換えることができ、利便性を向上させることができる。
【００３１】
次に、シャワーヘッド１の薬剤混入水吐出部１０の具体的構成について説明する。
薬剤混入水吐出部１０は、水流方向変換部材６０と、絞り部材３０と、第一筒部材４０と、第二筒部材４３と、薬剤配置部材５０と、固形剤５６と、を具備し、薬剤混入水吐出部１０内に流入する水に薬剤を混入させて薬剤混入水とし、当該薬剤混入水を吐出する。
【００３２】
シャワーヘッド１の薬剤混入水吐出部１０の水流方向変換部材６０は、流路切換部材９の第一流通路９ａから流入する水の水流方向を変換する。水流方向変換部材６０は、流入部１１として構成される。
水流方向変換部材６０は、流路切換部材９の下流側に配置される。水流方向変換部材６０は、流路切換部材９の底面と当接するように配置される。水流方向変換部材６０は、その内部が流路切換部材９の第一流通路９ａと連通するように上流側端部が開口され、下流側端部に底部６１を有する有底略筒状に形成される。水流方向変換部材６０は、流路切換部材９の第一流通路９ａから流出した水が上流側端部の開口から水流方向変換部材６０内に流入するように構成される。
【００３３】
シャワーヘッド１の薬剤混入水吐出部１０の水流方向変換部材６０は凸部６５を有する。水流方向変換部材６０における凸部６５は、底部６１の中央部から下流側に突出するように形成される。
水流方向変換部材６０は、その下流側部が絞り部材３０の上流側端部の開口から絞り部材３０内に嵌挿可能に構成される。
【００３４】
シャワーヘッド１の薬剤混入水吐出部１０の水流方向変換部材６０は、貫通孔６３を有する。
水流方向変換部材６０における貫通孔６３は、周方向に１８０度位相をずらすようにして（水流方向変換部材６０の軸心を中心に対向する位置に）、その上下中途部（上流側部と下流側部との間）にそれぞれ形成される。
水流方向変換部材６０における貫通孔６３は、水流方向変換部材６０における中途部の外周面から内周面に（半径方向に）貫通するように、それぞれ形成される。
【００３５】
シャワーヘッド１の水流方向変換部材６０は、切欠き６４を有する。
水流方向変換部材６０における切欠き６４は、周方向に１８０度位相をずらすようにして（水流方向変換部材６０の軸心を中心に対向する位置に）それぞれ形成される。水流方向変換部材６０における切欠き６４は、底部６１の下流側の面および中途部の外周面が切欠かれるように形成される。
水流方向変換部材６０における切欠き６４は、その底部６１から、二個の貫通孔６３のうち一方の貫通孔６３に亘るように形成される。
【００３６】
シャワーヘッド１の薬剤混入水吐出部１０の絞り部材３０は、その上流側端部が開口するとともに下流側端部に底部３１を有して、有底略筒状に形成される。
【００３７】
シャワーヘッド１の薬剤混入水吐出部１０の絞り部材３０は、凹部３３を有する。絞り部材３０における凹部３３は、底部３１の上流側の面の中央部に形成される。絞り部材３０における凹部３３は、底部３１の上流側の面が略半球状に凹むように形成される。
【００３８】
シャワーヘッド１の薬剤混入水吐出部１０の絞り部材３０は、複数個の絞り孔３４・３４・・・を有する。絞り孔３４は、絞り部１２として構成される。
絞り部材３０における絞り孔３４は、薬剤混入水吐出部１０内に流入した水の流れを絞って水の流速を増加させるものである。絞り部材３０における複数個の絞り孔３４で、絞り部１２が構成される。
絞り部材３０における絞り孔３４は、絞り部材３０内から絞り部材３０外に底部３１を貫通するように形成される。絞り部材３０における絞り孔３４は、上流側の開口が凹部３３に開口するように形成される。絞り部材３０の絞り孔３４は、周方向に６０度ずつ位相をずらして形成される。
絞り部材３０の絞り孔３４は、当該絞り孔３４におけるそれぞれの下流側の開口から流出する三本の水流が薬剤混入水吐出部１０の軸心方向に平行に流出するようにそれぞれ形成される。
なお、絞り部材３０における絞り孔３４の数は、三個であることに限定するものではない。
【００３９】
シャワーヘッド１の薬剤混入水吐出部１０の第一筒部材４０は、その上流側端部および下流側端部が開口する円筒状に形成される。薬剤混入水吐出部１０の第一筒部材４０は、その外面が流路切換部材９の第二流通路９ｂ（流路切換部材９の下流側の開口）よりも内側に位置するように構成される。薬剤混入水吐出部１０の第一筒部材４０は、その外面が外筒部材７の内面との間に所定の空間（流路切換部材９の第二流通路９ｂから流出した水が流通するための空間）が形成されるように構成される。
第一筒部材４０は、その上下中途部（上流側部と下流側部との間）から下流側端部にいくに従って次第に縮径されて、上流側端部の開口の内経が下流側端部の開口の内経よりも大きくなるように形成されて、構成される。
第一筒部材４０は、その上流側部内に絞り部材３０を嵌挿可能に構成される。
【００４０】
シャワーヘッド１の薬剤混入水吐出部１０の第一筒部材４０は、第一貫通孔４１と第二貫通孔４２とを有する。
第一筒部材４０の第一貫通孔４１は、第一筒部材４０の外面から内面に貫通するように形成される。第一筒部材４０の第一貫通孔４１には、薬剤配置部材５０のパイプ５３が嵌挿される。
第一筒部材４０の第二貫通孔４２は、第一筒部材４０の外面から内面に貫通するように形成される。第一筒部材４０の第二貫通孔４３は、第一貫通孔４２よりも下流側に配置される。
【００４１】
シャワーヘッド１の薬剤混入水吐出部１０の第二筒部材４３は、その上流側端部および下流側端部が開口する円筒状に形成される。
第二筒部材４３は、その上流側部が第一筒部材４０における下流側端部に嵌挿可能に構成される。
第二筒部材４３は、その上流側部を除く部分（中途部および下流側部）の外径が上流側部よりも小さく形成されて構成される。
第二筒部材４３は、その上流側端から第二筒部材４３の上流側部と中途部との境界部分における内面が下流側に行くに従って縮径されて、その上流側端から第二筒部材４３の上流側部と中途部との境界部分における内部に傾斜面を有するように（テーパ状に）構成される。
【００４２】
そして、薬剤混入水吐出部１０では、絞り部材３０内の上流側部内に、絞り部材３０の上流側端部の開口から水流方向変換部材６０の下流側の部分が嵌挿される。水流方向変換部材６０が絞り部材３０に嵌挿された状態では、水流方向変換部材６０の貫通孔６３および切欠き６４を介して、水流方向変換部材６０内と絞り部材３０内とが連通した状態となる。
【００４３】
シャワーヘッド１において、分岐部材５の流通孔５ａから流出する水を、流路切換部材９の第一流通路９ａと分岐部材５の流通孔５ａとが連通して薬剤混入水吐出部１０に流通する側に流通させる状態について説明する。
図２乃至図５に示すように、薬剤混入水吐出部１０では、流路切換部材９の第一流通路９ａを介して水流方向変換部材６０の上流側端部の開口から流入した水が、その貫通孔６３および切欠き６４を通って絞り部材３０内に流入して、絞り部材３０の絞り孔３４におけるそれぞれの下流側の開口から流出する。
接続部材２２から水流方向変換部材６０内に流入した水が、接続部材２２の貫通孔６３および切欠き６４を流通することにより、水の水流方向が水流方向変換部材６０内への流入方向（水流方向変換部材６０の軸方向）から周方向となって、絞り部材３０内に流入する。
つまり、薬剤混入水吐出部１０では、水流方向変換部材６０から流出する水の水流方向が変換されて螺旋状の流水（平面視で時計回りの水流）となって絞り部材３０に流入する。
【００４４】
シャワーヘッド１の薬剤混入水吐出部１０の第一筒部材４０内に、第一筒部材４０の上流側端部の開口から絞り部材３０が嵌挿される。
第一筒部材４０の下流側端部の開口から第二筒部材４３の上流側部が、第一筒部材４０内に嵌挿される。
【００４５】
シャワーヘッド１の薬剤混入水吐出部１０の回転体７０は、絞り部材３０の絞り孔３４（絞り部１２）の上流側の開口の閉鎖と開放とを隣接する絞り孔３４ごとに順次おこなうように回転することによって、絞り孔３４（絞り部１２）への水の流入を断続的に遮断するものである。
【００４６】
薬剤混入水吐出部１０の回転体７０は、棒状の部材の軸心方向中央部に円盤状の部材が互いの軸心を一致させて設けられたような形状に構成される。回転体７０における棒状部分の両端部は、それぞれ半球状に構成される。
【００４７】
シャワーヘッド１の薬剤混入水吐出部１０の回転体７０は、棒状部分の軸心を傾斜させるようにして絞り部材３０内に配置される。回転体７０は、棒状部分の上流側部をその下流側部よりも外周側に向けて水流方向変換部材６０の凸部６５の外側に配置させるとともに、棒状部分の下流側端部を絞り部材３０の凹部３３に位置させるようにして、配置される。
薬剤混入水吐出部１０の回転体７０は、棒状部分の軸心の傾斜する向きを変えるように回転可能に構成される。回転体７０は、棒状部分の下流側端部が絞り部材３０の凹部３３に位置した状態で、棒状部分の上流側端部が絞り部材３０の内周面に沿って水流方向変換部材６０の凸部６５の周りを移動するように、回転可能に絞り部材３０内に配置される。
【００４８】
シャワーヘッド１の薬剤混入水吐出部１０の回転体７０は、絞り部材３０内において、前記水流方向変換部材６０によって水流方向が変換されて螺旋状の水流を回転体７０の円盤状部分で受けることによって、回転するように構成される。
このとき、回転体７０が回転して、棒状部分の下流側端部が絞り部材３０における絞り孔３４の上流側の開口上に位置したときに、当該棒状部分の下流側端部で当該絞り部材３０における絞り孔３４の上流側の開口を閉鎖する。
回転体７０がさらに回転して、前記絞り部材３０の絞り孔３４の上流側の開口を通過したときに、当該絞り孔３４の上流側の開口を開放する。
【００４９】
シャワーヘッド１の薬剤混入水吐出部１０は、回転体７０が回転することによって、回転体７０の棒状部分の下流側端部で絞り部材３０における絞り孔３４の上流側の開口の閉鎖と開放とを隣接する絞り孔３４ごとに順次おこなうように構成される。
薬剤混入水吐出部１０は、回転体７０が回転することによって、絞り部材３０における絞り孔３４への水の流入を断続的に遮断するように構成される。
このようにして、薬剤混入水吐出部１０の、回転体７０が回転することによって、絞り部材３０における絞り孔３４（絞り部１２）への水の流入を断続的に遮断し、絞り部材３０における複数個の絞り孔３４のうち水が流入する絞り孔３４を断続的に変更して、絞り孔３４の下流側の開口から脈動するような水を流出するように構成される。
【００５０】
このように構成されたシャワーヘッド１では、薬剤混入水吐出部１０が前記脈動するような水を洗浄対象に吐出すると、当該脈動するような水を洗浄対象に吐出する接触した洗浄対象物は、脈動するような水の振動によっても洗浄されることとなる。
このようにして、シャワーヘッド１では、これから吐出する水の洗浄効果を向上させることができる。
【００５１】
シャワーヘッド１の薬剤混入水吐出部１０の薬剤配置部材５０は、溶解部１５として構成される。
薬剤配置部材５０は、その内部（固形剤配置室５５）に固形剤５６（薬剤）が配置可能に構成される。薬剤配置部材５０は、水によって薬剤配置部材５０の固形剤配置室５５に配置される固形剤５６を溶解させて、薬剤混入水として流出するように構成される。
薬剤配置部材５０は、身５１と、蓋５２と、パイプ５３と、を有する。薬剤配置部材５０は、その身５１に蓋５２をすることによって、その内部に固形剤５６が配置可能な空間（固形剤配置室５５）が形成されるように構成される。
【００５２】
シャワーヘッド１の薬剤混入水吐出部１０の薬剤配置部材５０の身５１は、流出貫通孔５１ａと、流入貫通孔５１ｂと、を有して構成される。
薬剤配置部材５０の身５１の流出貫通孔５１ａは、身５１の底部の外面から内面に貫通するように形成される。薬剤配置部材５０の身５１の流出貫通孔５１ａには、パイプ５３の一端部が嵌挿される。
薬剤配置部材５０の身５１の流入貫通孔５１ｂは、身５１の側部の外面から内面に貫通するように形成される。
薬剤配置部材５０の身５１は、その底部が第一筒部材４０の当接するように配置される。薬剤配置部材５０の身５１は、流出貫通孔５１ａが第一筒部材４０の第一貫通孔４１と、流入貫通孔５１ｂが第一筒部材４０の第二貫通孔４２と、それぞれ連通するように配置される。薬剤配置部材５の固形剤配置室５５と第一筒部材４０内とは、流出貫通孔５１ａと第一筒部材４０の第一貫通孔４１とを介して連通し、流入貫通孔５１ｂと第一筒部材４０の第二貫通孔４２を介して連通する。
【００５３】
シャワーヘッド１の薬剤混入水吐出部１０の薬剤配置部材５０のパイプ５３は、管状に構成される。薬剤配置部材５０のパイプ５３の内部は、固形剤配置室５５内に水が流入する流路として構成される。
薬剤配置部材５０のパイプ５３の一端部は、第一筒部材４０の第一貫通孔４１と薬剤配置部材５０の身５１の流出貫通孔５１ａとに嵌挿される。薬剤配置部材５０のパイプ５３の他端部は、第二筒部材４３の内側において第二筒部材４３の下流側端部に配置される。薬剤配置部材５０の流出パイプ５３が嵌挿された状態では、流出パイプ５３を介して、固形剤配置室５５と第一筒部材４０内とが連通する。
【００５４】
シャワーヘッド１の薬剤混入水吐出部１０の薬剤配置部材５０のパイプ５３の一端部の開口が、溶解部１５の出口の開口１５ｂとして構成される。
薬剤配置部材５の固形剤配置室５５と第一筒部材４０内とは、流出貫通孔５１ａと第一筒部材４０の第一貫通孔４１とを介して連通し、流入貫通孔５１ｂと第一筒部材４０の第二貫通孔４２を介して連通する。
薬剤配置部材５０の流入貫通孔５１ｂおよび第一筒部材４０の第二貫通孔４２は、絞り部１２の下流側に配置される。第一筒部材４０の第二貫通孔４２の開口（内側の開口）が、溶解部１５の入口の開口１５ａとして構成される。
【００５５】
シャワーヘッド１の薬剤混入水吐出部１０の薬剤配置部材５０は、薬剤配置部材５０の固形剤配置室５５内の薬剤混入水が、絞り部材３０の絞り孔３４における下流側の開口から水が流出することによって吸引されて薬剤配置部材５０のパイプ５３を介して薬剤配置部材５０の固形剤配置室５５内から第一筒部材４０の内側に流出する。
絞り部材３０の絞り孔３４における下流側の開口から流出する水のうち少なくとも一部が、薬剤配置部材５０の流入貫通孔５１ｂおよび第一筒部材４０の第二貫通孔４２を介して薬剤配置部材５０の固形剤配置室５５内に流入する。
薬剤混入水吐出部１０の薬剤配置部材５０は、固形剤配置室５５内に流入する水によって固形剤配置室５５内の固形剤５６を溶解させて、薬剤混入水として流出する。
そして、薬剤配置部材５０の固形剤配置室５５内に流入する水によって固形剤５６を溶解して薬剤混入水として薬剤配置部材５０から流出させ、当該薬剤混入水を第二筒部材４３の下流側端部の開口４４から吐出する。
【００５６】
シャワーヘッド１において、分岐部材５の流通孔５ａから流出する水を、流路切換部材９の第二流通路９ｂと分岐部材５の流通孔５ａが連通して薬剤混入水吐出部１０に流通しない側に流通させる状態について説明する。
図２、図３、図６、または図７に示すように、薬剤混入水吐出部１０では、分岐部材５の流通孔５ａから流出する水は、流路切換部材９の第二流通路９ｂを介して第一筒部材と外筒部材７との間の空間を流通して、フェース部材８の吐出孔８ｂから吐出される。
【００５７】
シャワーヘッド１では、カバー部材６または外筒部材７を把持して回転させることによって、カバー部材６等とともに流路切換部材９および薬剤混入水吐出部１０を回転させて、薬剤混入水を吐出する状態と、水を吐出する状態と、を切換る。
【００５８】
以上のように、シャワーヘッド１では、カバー部材６または外筒部材７を把持して回転させることによって、カバー部材６等とともに流路切換部材９および薬剤混入水吐出部１０を回転させて、薬剤混入水を吐出する状態と、水を吐出する状態と、を切換るシャワーヘッドでは、カバー部材６または外筒部材７を把持して回転させることによって当該カバー部材６等とともに流路切換部材９および薬剤混入水吐出部１０を回転させることから、薬剤混入水を吐出する状態と、水を吐出する状態と、の切換えを容易に行うことができる。
【００５９】
シャワーヘッド１の外筒部材７は、薬剤混入水吐出部１０の薬剤配置部材５０の身５１が嵌装される嵌装孔７ａを有する。
薬剤混入水吐出部１０の薬剤配置部材５０は、外筒部材７の嵌装孔７ａに身５１が嵌装されて、身５１と蓋５２とが外筒部材７の外側に突出するように配置される。薬剤配置部材５０の蓋５２は、外筒部材７の外側に配置されて、シャワーヘッド１の外側に露出するように配置される。
【００６０】
以上のように、薬剤配置部材５０の薬剤配置部材５０の蓋５２が、外側に露出するように配置される、シャワーヘッド１によれば、蓋５２が外側に露出することから、蓋５２を取外すことによって、外筒部材７の外側から固形剤配置室５５への固形剤５６（薬剤）の収納または詰替え作業等を行うことができる。
したがって、シャワーヘッド１によれば、薬剤配置部材５０の固形剤配置室５５への固形剤５６（薬剤）の収納または詰替え作業等を容易に行うことができる。
【００６１】
シャワーヘッド１の薬剤混入水吐出部１０の絞り部材３０は、拡散体３８を有する。
絞り部材３０の拡散体３８は、水の水勢を弱めるとともに、水を拡散させるものである。絞り部材３０の拡散体３８は、拡散部１４を構成する。
絞り部材３０の拡散体３８は、絞り孔３４の下流側の開口の近傍に位置するように配置される。絞り部材３０の拡散体３８は、底部３１（絞り孔３４の下流側の開口）の下流側に位置するように配置される。絞り部材３０の拡散体３８は、絞り部材３０の底部３１の中央部（絞り孔３４よりも中央側）から下流側に突出するように配置される。絞り部材３０の拡散体３８は、水が当接するように配置される。
絞り部材３０の拡散体３８は、略円錐状に形成される。絞り部材３０の拡散体３８は、下流側にいくに従って末広がりのテーパ状に形成される。
絞り部材３０の拡散体３８は、その下流側端（外側端）が絞り孔３４よりも外側（第二筒部材４３の内周面側）に位置するように、形成される。絞り部材３０の拡散体３８は、その上流側の斜面が絞り孔３４の軸心の延長線上に位置するように、形成される。絞り部材３０の拡散体３８は、その上流側の斜面が絞り部材３０の絞り孔３４から流出する水の流出方向の延長線上に位置するように、形成される。
【００６２】
このように構成されるシャワーヘッド１では、薬剤混入水吐出部１０の絞り部材３０が拡散体３８（拡散部１４）を有するため、薬剤混入水吐出部１０の軸心方向に絞り部材３０の絞り孔３４（絞り部１２）から流出する水は、絞り部材３０の拡散体３８に当接することとなる。
そして、シャワーヘッド１では、薬剤混入水吐出部１０の絞り部材３０における拡散体３８に水が当接することによって水の水勢が弱められることとなる。
【００６３】
また、シャワーヘッド１では、薬剤混入水吐出部１０の絞り部材３０における拡散体３８に水が当接することによって水が拡散することとなる。
そして、シャワーヘッド１では、前記水が拡散することによって、水の吐出範囲が広がることとなる。このとき、シャワーヘッド１では、薬剤混入水吐出部１０の絞り部材３０における拡散体３８に当接した水が下流側にいくに従って末広がりに拡散して、その吐出範囲が広がることとなる。
【００６４】
シャワーヘッド１の薬剤配置部材５０では、固形剤５６を縦向きに配置可能に、身５１が外筒部材７の外側に突出する方向により長細く固形剤配置室５５を構成することもできる。このように構成することによって、シャワーヘッド１を吐水する方向により短く構成することができ、シャワーヘッド１をコンパクトに構成することができる。
【００６５】
シャワーヘッド１の薬剤配置部材５０は、身５１とパイプ５３とを一体的に構成することもできる。つまり、薬剤配置部材５０は、身５１の流出貫通孔５１ａにパイプ５３の一端部が嵌挿された状態で、身５１とパイプ５３とが一個の部材として構成することもできる。このように構成することにより、シャワーヘッド１の組立て工数を削減することができる。
【００６６】
シャワーヘッド１は、切換えレバー（不図示）を備え、切換えレバーを操作することによって、薬剤混入水を吐出する状態と、水を吐出する状態と、を切換可能に構成することもできる。このように構成することにより、薬剤混入水を吐出する状態と、水を吐出する状態と、を切換操作が容易となる。
【００６７】
シャワーヘッド１は、浄水カートリッジを備える構成とすることもできる。このとき、シャワーヘッド１は、例えば、ヘッド本体３または把持部２内に浄水カートリッジを着脱可能に構成される。
【符号の説明】
【００６８】
１    シャワーヘッド
２    把持部
３    ヘッド本体
４    支持部材
５    分岐部材
６    カバー部材
７    外筒部材
８    フェース部材
９    流路切換部材
１０  薬剤混入水吐出部
１１  流入部
１２  絞り部
１４  拡散部
１５  溶解部
５０  固形剤配置部材
５１  身
５２  蓋
５３  パイプ
５５  固形剤配置室
５６  固形剤
【図１】
2016112266.tif 000003
【図２】
2016112266.tif 000004
【図３】
2016112266.tif 000005
【図４】
2016112266.tif 000006
【図５】
2016112266.tif 000007
【図６】
2016112266.tif 000008
【図７】
2016112266.tif 000009